(57)【要約】【課題】表示装置の一方の面を見ているユーザが他方の面に表示されるコンテンツを見るときの手間を、複数のコンテンツが表示され得る場合でも少なくすること。【解決手段】第１表示手段１０１は、筐体４０の一方の面にコンテンツを表示するし、第２表示手段１０２は、筐体４０の他方の面にコンテンツを表示する。検知手段１０３は、前述した一方の面の向きと他方の面の向きとが反転したことを検知する。取得手段１０４は、第１表示手段１０１により表示されている第１コンテンツに関連する複数の第２コンテンツを取得する。取得手段１０４は、例えば、ユーザが表示させたコンテンツの履歴に基づいて、第２コンテンツを取得する。表示制御手段１０５は、検知手段１０３により反転が検知された場合に、取得された複数の第２コンテンツのうち、反転の仕方に応じた第２コンテンツを第２表示手段１０２に表示させる。【選択図】図３
2015152779.tif 000002
【特許請求の範囲】
【請求項１】
板状の筐体と、
前記筐体の一方の面にコンテンツを表示する第１表示手段と、
前記筐体の他方の面にコンテンツを表示する第２表示手段と、
前記一方の面の向きと前記他方の面の向きとが反転したことを検知する検知手段と、
前記第１表示手段により表示されている第１コンテンツに関連する複数の第２コンテンツを取得する取得手段と、
前記検知手段により前記反転が検知された場合に、取得された前記複数の第２コンテンツのうち、当該反転の仕方に応じた第２コンテンツを前記第２表示手段に表示させる表示制御手段と
を備える表示装置。
【請求項２】
前記取得手段は、ユーザが表示させたコンテンツの履歴に基づいて、前記第２コンテンツを取得する
請求項１に記載の表示装置。
【請求項３】
前記取得手段は、現在の時期に応じた前記第２コンテンツを取得する
請求項１または２に記載の表示装置。
【請求項４】
前記取得手段は、自装置が所在する位置に応じた前記第２コンテンツを取得する
請求項１から３までのいずれか１項に記載の表示装置。
【請求項５】
前記取得手段は、２種類の第２コンテンツを取得し、
前記表示制御手段は、第１の前記反転の仕方での反転が検知された場合には一方の種類の前記第２コンテンツを表示させ、当該第１の反転の仕方とは異なる第２の前記反転の仕方での反転が検知された場合には他方の種類の前記第２コンテンツを表示させる
請求項１から４までのいずれか１項に記載の表示装置。
【請求項６】
前記表示制御手段は、前記第２表示手段に前記第２コンテンツを表示させたあとに、当該第２コンテンツを表示させたときに検知された反転とは反対方向の反転が前記検知手段により検知された場合には、当該第２コンテンツを表示させる前に表示されていた前記第１コンテンツを前記第１表示手段に表示させる
請求項１から５までのいずれか１項に記載の表示装置。
【請求項７】
前記取得手段は、前記第２コンテンツを取得すると、取得した当該第２コンテンツに関連するコンテンツを新たな第２コンテンツとして取得することを繰り返し、
前記表示制御手段は、前記取得手段により順番に取得された第２コンテンツのうち、検知された前記反転の速度に応じた順番で取得された前記第２コンテンツを表示させる
請求項１から６までのいずれか１項に記載の表示装置。
【請求項８】
前記表示制御手段は、前記反転の仕方と当該反転の仕方に応じた前記第２コンテンツとの関係とを表す関係画像を表示させる
請求項１から７までのいずれか１項に記載の表示装置。
【請求項９】
前記表示制御手段は、前記反転が行われる度に表示させる前記第２コンテンツの一覧を表す一覧画像を表示させる
請求項１から８までのいずれか１項に記載の表示装置。
【請求項１０】
板状の筐体と、前記筐体の一方の面にコンテンツを表示する第１表示手段と、前記筐体の他方の面にコンテンツを表示する第２表示手段とを備える表示装置が、
前記一方の面の向きと前記他方の面の向きとが反転したことを検知する検知ステップと、
前記表示装置が、前記第１表示手段により表示されている第１コンテンツに関連する複数の第２コンテンツを取得する取得ステップと、
前記表示装置が、前記検知ステップにおいて前記反転が検知された場合に、前記取得ステップにおいて取得された前記複数の第２コンテンツのうち、当該反転の仕方に応じた第２コンテンツを前記第２表示手段に表示させる表示制御ステップと
を備える表示方法。
【発明の詳細な説明】
【技術分野】
【０００１】
本発明は、コンテンツを表示するための技術に関する。
【背景技術】
【０００２】
コンテンツを表示するための技術がある。例えば、特許文献１には、表面表示可能なパネルに設けられた回転軸を枠体に回転自在に装着し、パネルを回転させることによって裏側表示面に書き替えた情報が表示され、パネルが裏返しになった状態で書き換えが終了して書き換え表示された情報をユーザが見られるようにする技術が記載されている。
【先行技術文献】
【特許文献】
【０００３】
【特許文献１】特開２００８−２９２８３９号公報
【発明の概要】
【発明が解決しようとする課題】
【０００４】
表示装置の両方の面にコンテンツが表示される場合に、特許文献１の発明のように、表示装置を裏返すことで次のコンテンツが表示されると、次のコンテンツを表示させるための操作を別途行う必要がなくユーザにとって便利である。しかし、特許文献１の発明では、次に複数のコンテンツが表示され得る場合に、それらのうちのいずれかを選択する操作を行わなければならないため、ユーザにとって手間がかかる。
そこで、本発明は、表示装置の一方の面を見ているユーザが他方の面に表示されるコンテンツを見るときの手間を、複数のコンテンツが表示され得る場合でも少なくすることを目的とする。
【課題を解決するための手段】
【０００５】
上記課題を達成するために、本発明は、板状の筐体と、前記筐体の一方の面にコンテンツを表示する第１表示手段と、前記筐体の他方の面にコンテンツを表示する第２表示手段と、前記一方の面の向きと前記他方の面の向きとが反転したことを検知する検知手段と、前記第１表示手段により表示されている第１コンテンツに関連する複数の第２コンテンツを取得する取得手段と、前記検知手段により前記反転が検知された場合に、取得された前記複数の第２コンテンツのうち、当該反転の仕方に応じた第２コンテンツを前記第２表示手段に表示させる表示制御手段とを備える表示装置を提供する。
【０００６】
また、前記取得手段は、ユーザが表示させたコンテンツの履歴に基づいて、前記第２コンテンツを取得してもよい。
さらに、前記取得手段は、現在の時期に応じた前記第２コンテンツを取得してもよい。
また、前記取得手段は、自装置が所在する位置に応じた前記第２コンテンツを取得してもよい。
【０００７】
また、前記取得手段は、２種類の第２コンテンツを取得し、前記表示制御手段は、第１の前記反転の仕方での反転が検知された場合には一方の種類の前記第２コンテンツを表示させ、当該第１の反転の仕方とは異なる第２の前記反転の仕方での反転が検知された場合には他方の種類の前記第２コンテンツを表示させてもよい。
さらに、前記表示制御手段は、前記第２表示手段に前記第２コンテンツを表示させたあとに、当該第２コンテンツを表示させたときに検知された反転とは反対方向の反転が前記検知手段により検知された場合には、当該第２コンテンツを表示させる前に表示されていた前記第１コンテンツを前記第１表示手段に表示させてもよい。
【０００８】
また、前記取得手段は、前記第２コンテンツを取得すると、取得した当該第２コンテンツに関連するコンテンツを新たな第２コンテンツとして取得することを繰り返し、前記表示制御手段は、前記取得手段により順番に取得された第２コンテンツのうち、検知された前記反転の速度に応じた順番で取得された前記第２コンテンツを表示させてもよい。
さらに、前記表示制御手段は、前記反転の仕方と当該反転の仕方に応じた前記第２コンテンツとの関係とを表す関係画像を表示させてもよい。
また、前記表示制御手段は、前記反転が行われる度に表示させる前記第２コンテンツの一覧を表す一覧画像を表示させてもよい。
【０００９】
本発明は、板状の筐体と、前記筐体の一方の面にコンテンツを表示する第１表示手段と、前記筐体の他方の面にコンテンツを表示する第２表示手段とを備える表示装置が、前記一方の面の向きと前記他方の面の向きとが反転したことを検知する検知ステップと、前記表示装置が、前記第１表示手段により表示されている第１コンテンツに関連する複数の第２コンテンツを取得する取得ステップと、前記表示装置が、前記検知ステップにおいて前記反転が検知された場合に、前記取得ステップにおいて取得された前記複数の第２コンテンツのうち、当該反転の仕方に応じた第２コンテンツを前記第２表示手段に表示させる表示制御ステップとを備える表示方法を提供する。
【発明の効果】
【００１０】
本発明によれば、表示装置の一方の面を見ているユーザが他方の面に表示されるコンテンツを見るときの手間を、複数のコンテンツが表示され得る場合でも少なくすることができる。
【図面の簡単な説明】
【００１１】
【図１】第１実施形態の表示装置のハードウェア構成の一例を示す図
【図２】表示装置の外観の一例を示す図
【図３】表示装置の機能構成の一例を示す図
【図４】第１の取得方法を説明するための図
【図５】判定テーブルの一例を示す図
【図６】制御テーブルの一例を示す図
【図７】コンテンツの遷移の一例を示す図
【図８】反転表示処理における表示装置の動作の一例を示すフロー図
【図９】時期関連語句テーブルの一例を示す図
【図１０】位置関連語句テーブルの一例を示す図
【図１１】順番テーブルの一例を示す図
【図１２】順番に取得された第２コンテンツの一例を示す図
【図１３】表示された関係画像の一例を示す図
【図１４】表示された一覧画像の一例を示す図
【図１５】属性関連語句テーブルの一例を示す図
【発明を実施するための形態】
【００１２】
［１］第１実施形態
［１−１］ハードウェア構成
図１は、第１実施形態の表示装置のハードウェア構成の一例を示す図である。図１に示す表示装置１０は、制御部１１と、記憶部１２と、通信部１３と、操作部１４と、センサ部１５と、表表示部２０と、裏表示部３０とを備える。なお、図１に示す測位部１６については第２実施形態で説明する。表示装置１０は、例えばスマートフォンやタブレット端末、携帯電話機などであり、画像を表示する機能を有するコンピュータである。
【００１３】
制御部１１は、ＣＰＵ（Central Processing Unit）、ＲＯＭ（Read Only Memory）、ＲＡＭ（Random Access Memory）及びリアルタイムクロックを備え、ＣＰＵが、ＲＡＭをワークエリアとして用いてＲＯＭや記憶部１２に記憶されたプログラムを実行することによって各部の動作を制御する。リアルタイムクロックは、現在の日時を算出してＣＰＵに通知する。記憶部１２は、フラッシュメモリ等を備え、制御部１１が制御に用いるデータやプログラムを記憶している。通信部１３は、通信を行うための通信回路を備え、インターネット等のネットワークを介したデータのやり取りを行う。操作部１４は、タッチスクリーンやボタン型の操作子などを有し、ユーザによる操作を受け付ける。このタッチスクリーンは、表表示部２０が有する表表示面２１及び裏表示部３０が有する裏表示面３１に重ねて設けられる。
【００１４】
センサ部１５は、表示装置１０の向きの変化を表す情報（以下「向き変化情報」という）を取得するための手段である。向き変化情報としては、例えば、角速度や加速度、磁場の方向などが用いられる。これらの向き変化情報は、角速度センサや加速度センサ、地磁気センサなどで測定される。本実施形態では、センサ部１５は、２軸の角速度センサを有し、各軸を中心として自装置が回転するときの角速度を測定する。センサ部１５は、角速度センサの測定結果を向き変化情報として制御部１１に出力する。表表示部２０及び裏表示部３０については、図２を参照して説明する。
【００１５】
図２は、表示装置１０の外観の一例を示す図である。表示装置１０は、板状の筐体４０を備えている。図２（ａ）では筐体４０の表側の表面４１が示され、図２（ｂ）では筐体４０の裏側の裏面４２が示されている。表表示部２０は、表面４１に表表示面２１が設けられたディスプレイであり、制御部１１により制御されて表表示面２１に画像を表示する。裏表示部３０は、裏面４２に裏表示面３１が設けられたディスプレイであり、制御部１１により制御されて裏表示面３１に画像を表示する。なお、図２の例では、裏表示面３１が表表示面２１よりも小さく形も異なっているが、同じ大きさで同じ形であってもよい。
【００１６】
表面４１及び裏面４２（以下区別しない場合は「筐体面」という）は、角を丸くした長方形の形をしている。以下では、筐体面の短辺に沿った方向をＸ軸方向、長辺に沿った方向をＹ軸方向、筐体面の垂線に沿った方向、すなわちＸ軸及びＹ軸に直交する方向をＺ軸方向というものとする。また、図に示すＸ軸、Ｙ軸、Ｚ軸を示す矢印が指す方向を、それぞれ正方向といい、その反対向きを負方向というものとする。例えば、図２（ｃ）では、Ｘ軸の正方向に見た表示装置１０が示されている。
【００１７】
図１に示すセンサ部１５の角速度センサは、例えば、筐体４０の中心Ａ１に設けられており、Ａ１を通り且つＹ軸方向に沿った軸Ｂ１で自装置が回転するときの角速度（以下「第１角速度」という）と、同じくＡ１を通り且つＸ軸方向に沿った軸Ｂ２で自装置が回転するときの角速度（以下「第２角速度」という）とを測定する。センサ部１５は、表示装置１０がＹ軸の正方向に見て時計回りに（図中の矢印Ｃ１が示す方向に）回転する場合には正の値の第１角速度を出力し、その反対向きに回転する場合には負の値の第１角速度を出力する。
【００１８】
また、センサ部１５は、表示装置１０がＸ軸の正方向に見て時計回りに（図中の矢印Ｃ２が示す方向に）回転する場合には正の値の第２角速度を出力し、その反対向きに回転する場合には負の値の第２角速度を出力する。以下では、表示装置１０が矢印Ｃ１の示す方向に回転するときの回転方向を「横向きの正方向」といい、その反対向きに回転するときの回転方向を「横向きの負方向」という。また、表示装置１０が矢印Ｃ２の示す方向に回転するときの回転方向を「縦向きの正方向」といい、その反対向きに回転するときの回転方向を「縦向きの負方向」という。
【００１９】
［１−３］機能構成
表示装置１０の記憶部１２には、コンテンツの表示を制御するための表示制御プログラムが記憶されている。制御部１１がこの表示制御プログラムを実行して各部を制御することで、以下に述べる各機能が実現される。
図３は、表示装置１０の機能構成の一例を示す図である。表示装置１０は、第１表示手段１０１と、第２表示手段１０２と、検知手段１０３と、取得手段１０４と、表示制御手段１０５とを備える。
【００２０】
［１−３−１］第１表示手段及び第２表示手段
第１表示手段１０１は、筐体４０の一方の面（以下「第１面」という）にコンテンツを表示する手段であり、第２表示手段１０２は、筐体４０の他方の面（以下「第２面」という）にコンテンツを表示する手段である。コンテンツとは、ウェブページやＳＮＳ（Social Networking Service）の投稿、地図、電子メール、ゲームなどのことであり、それぞれ絵柄や文字列などを含む画像で表される。これらのコンテンツは、ブラウザやＳＮＳ用のソフト、メールソフトなど、各コンテンツを表示させる機能を実現するためのプログラム（以下「表示プログラム」という）が実行されることで、第１表示手段１０１及び第２表示手段１０２によって表示される。
【００２１】
上述した第１面は、表表示面２１が設けられている面でも、裏表示面３１が設けられている面でもどちらでもよい。また、上述した第２面も、表表示面２１が設けられている面でも、裏表示面３１が設けられている面でもどちらでもよい。つまり、表示装置１０においては、表表示部２０が第１表示手段１０１で裏表示部３０が第２表示手段１０２という場合もあるし、表表示部２０が第２表示手段１０２で裏表示部３０が第１表示手段１０１という場合もある。
【００２２】
［１−３−２］検知手段
検知手段１０３は、前述した一方の面（第１面）の向きと他方の面（第２面）の向きとが反転したことを検知する手段である。以下では、単に「反転」といった場合、第１面の向きと第２面の向きとが反転したことを表すものとする。検知手段１０３は、上述した向き変化情報（表示装置１０の向きの変化を表す情報）を取得し、取得した向き変化情報が反転の有無を判断するために定められた条件（以下「反転条件」という）を満たした場合に、反転を検知する。
【００２３】
検知手段１０３は、本実施形態では、上述したセンサ部１５による測定結果、すなわち第１及び第２角速度を向き変化情報として取得する。検知手段１０３は、例えば、定められた時間（例えば１秒間や３秒間など）に測定された第１及び第２角速度をそれぞれ積分した値のいずれかが閾値（例えば１７０度や１８０度など）を超えた場合に、反転条件が満たされたと判断し、反転を検知する。
【００２４】
例えば表表示面２１を見ていたユーザが裏表示面３１を見るために軸Ｂ１を中心に表示装置１０を１８０度回転させた場合には、第１角速度の積分値が１８０度となる。この場合、検知手段１０３は、閾値として１８０度未満の値が定められていれば、第１角速度の積分値が閾値を超えているので、反転を検知する。このようにして、検知手段１０３は、本実施形態では、図２に示す軸Ｂ１を中心とした反転と、軸Ｂ２を中心とした反転とを検知する。検知手段１０３は、反転を検知すると、その旨を通知する検知通知情報と、この検知に用いた向き変化情報とを表示制御手段１０５に供給する。
【００２５】
［１−３−３］取得手段
取得手段１０４は、第１表示手段１０１により表示されている第１コンテンツに関連する複数の第２コンテンツを取得する手段である。本実施形態では、取得手段１０４は、次の２とおりの方法で第２コンテンツを取得する。
［１−３−３−１］第１の取得方法
第１の取得方法では、取得手段１０４は、ユーザが表示させたコンテンツの履歴（以下「表示履歴」という）に基づいて、第２コンテンツを取得する。この第１の取得方法について、図４を参照して説明する。
【００２６】
図４は、第１の取得方法を説明するための図である。取得手段１０４は、例えば、第１表示手段１０１及び第２表示手段１０２にコンテンツが表示される度に、表示されたコンテンツを識別する情報（以下「識別情報」という。例えばコンテンツのＵＲＬ（Uniform Resource Locator）など）と、表示された時刻（以下「表示時刻」という。時分に加え、秒や年月日を含んでもよい）とを対応付けて表示履歴ＤＢ（Data Base）に格納する。この場合、識別情報及び表示時刻が表示履歴として表示履歴ＤＢに蓄積される。図４（ａ）では、表示履歴ＤＢに蓄積された識別情報及び表示時刻の一例が示されている。この例では、コンテンツＡがまず表示され、その次にコンテンツＢ、その次にコンテンツＣが表示されたことが示されている。
【００２７】
例えば表示装置１０がユーザによって操作され、表表示部２０にコンテンツＡが表示されたとする。この場合、取得手段１０４は、表表示部２０を第１表示手段１０１とし、コンテンツＡを第１コンテンツとする。取得手段１０４は、表示履歴ＤＢを参照して、第１コンテンツ（この例ではコンテンツＡ）以外のコンテンツから、第１コンテンツの次に表示された回数（以下「次表示回数」という）が最も多いコンテンツを第２コンテンツとして取得する。より詳細には、取得手段１０４は、第２コンテンツを表示するための表示プログラム（上述したブラウザやＳＮＳ用のソフト、メールソフトなど）を実行し、その機能により第２コンテンツを取得する。なお、取得手段１０４は、これに限らず、コンテンツを表示せずに取得のみ行うための機能を有する取得専用プログラムを実行し、その機能により第２コンテンツを取得してもよい。
【００２８】
図４（ｂ）では、コンテンツＡを第１コンテンツとした場合の次表示回数が多いものから順番に並べた他のコンテンツが示されている。この例では、コンテンツＢの次表示回数が２０回と最も多く、以下コンテンツＥ、Ｇ（次表示回数がそれぞれ１０、５）の順番となっている。この場合、取得手段１０４は、次表示回数が最も多いコンテンツＢを第２コンテンツとして取得する。この第２コンテンツが取得された時点では、表示プログラムの画像や第２コンテンツは表示されず、ＲＡＭや記憶部１２における読み出しや書き込みのみが行われる。取得手段１０４は、こうして取得した第２コンテンツを表示制御手段１０５に供給する。
【００２９】
なお、上述したコンテンツは、例えば「○×新聞社」のポータルサイトを例にとると、１つ１つの末端の記事を示すウェブページであってもよいが、それに限らない。例えば○×新聞社が記事を社会、経済、海外、スポーツといったカテゴリに分けて記事を提供していれば、それらのカテゴリに含まれる記事を示すウェブページをまとめて１つのコンテンツとして扱ってもよい。例えば、取得手段１０４は、共通するドメイン名（「ｗｗｗ．○×．ｃｏｍ／ｓｐｏｒｔｓ／」など）をＵＲＬに含むウェブページを同じコンテンツと判断する。このようにすると、例えばユーザが「○×新聞社のスポーツ」というコンテンツの次に「□△新聞社のスポーツ」というコンテンツを１０回表示させた場合に、表示されるウェブページはその度に違っていても、次表示回数が１０回として扱われることになる。
【００３０】
一方で、上記の場合、１つのコンテンツに複数のウェブページが含まれることになる。取得手段１０４は、第２コンテンツを取得する場合に、それら複数のウェブページを全て取得してもよいが、それに限らない。取得手段１０４は、例えば、それらのウェブページのＵＲＬが階層構造になっている場合に、そのうちの最上位のウェブページだけを第２コンテンツとして取得してもよい。この場合、取得手段１０４は、例えば、各ウェブページに共通するドメイン名だけを宛先としたときに送信されてくるウェブページを第２コンテンツとして取得する。
【００３１】
［１−３−３−２］第２の取得方法
第２の取得方法では、取得手段１０４は、第１コンテンツに、他のコンテンツを表示させるための情報（以下「表示情報」という）が含まれている場合に、その表示情報により表示されるコンテンツを第２コンテンツとして取得する。取得手段１０４は、第１コンテンツに複数の表示情報が含まれていれば、例えば表示されている位置が表示面の所定の位置（例えば左上の角）に最も近い表示情報により表示されるコンテンツを第２コンテンツとして取得する。また、取得手段１０４は、表示情報が文章の中に含まれている場合には、文章の冒頭に最も近い表示情報により表示されるコンテンツを第２コンテンツとして取得する。
【００３２】
なお、取得手段１０４は、例えば第１の取得方法で述べた表示履歴に基づいて、複数の表示情報によりそれぞれ表示される複数のコンテンツのうち最もユーザによって表示された回数が多いものを第２コンテンツとして取得してもよい。この場合、第１コンテンツの次に表示された回数に限らず、他のコンテンツの次に表示された回数も含むことになる。取得手段１０４は、こうして取得した第２コンテンツも表示制御手段１０５に供給する。
本実施形態では、取得手段１０４は、以上のとおり、第１の取得方法で取得された第２コンテンツと、第２の取得手段で取得された第２コンテンツという２種類の第２コンテンツを取得する。
【００３３】
［１−３−４］表示制御手段
表示制御手段１０５は、検知手段１０３により反転が検知された場合に、取得された複数の第２コンテンツのうち、反転の仕方に応じた第２コンテンツを第２表示手段１０２に表示させる手段である。表示制御手段１０５は、検知手段１０３から検知通知情報が供給されると、反転が検知されたと判断し、同じく検知手段１０３から供給された向き変化情報に基づいて、反転の仕方を判定する。表示制御手段１０５は、反転の仕方を判定するための判定テーブルを記憶している。
【００３４】
図５は、判定テーブルの一例を示す図である。この例では、「第１角速度（正）」、「第１角速度（負）」、「第２角速度（正）」及び「第２角速度（負）」という向き変化情報に、「横向きの正方向：α」、「横向きの負方向：β」、「縦向きの正方向：γ」及び「縦向きの負方向：δ」という反転の仕方が対応付けられている。向き変化情報に記載されている「（正）」及び「（負）」は、各角速度が正の値か負の値かを表している。また、反転の仕方に記載されている「α」、「β」、「γ」、「δ」は、説明の便宜上、各反転の仕方に割り当てた記号であり、具体的な反転の仕方は、各記号の前に記載されている表示装置１０の回転方向（図２の説明で矢印Ｃ１及びＣ２を用いて述べた回転方向）によって表されている。表示制御手段１０５は、供給された向き変化情報に判定テーブルにおいて対応付けられている回転方向を、検知された反転における反転の仕方として判定する。
【００３５】
表示制御手段１０５は、判定した反転の仕方と表示させるコンテンツとを対応付けた制御テーブルを記憶している。
図６は、制御テーブルの一例を示す図である。この例では、「α」（横向きの正方向）、「β」（横向きの負方向）、「γ」（縦向きの正方向）及び「δ」（縦向きの負方向）という反転の仕方に、「第１の取得方法で取得された第２コンテンツ」、「反転前の第１コンテンツ」、「第２の取得方法で取得された第２コンテンツ」及び「反転前の第１コンテンツ」という表示させるコンテンツとが対応付けられている。表示制御手段１０５は、判定した反転の仕方に制御テーブルで対応付けられているコンテンツを、そのコンテンツを表示させるための表示プログラムの機能により第２表示手段１０２に表示させる。
【００３６】
上述したように、取得手段１０４は、２種類の第２コンテンツ（第１及び第２の取得方法でそれぞれ取得されたもの）を取得する。表示制御手段１０５は、図６に示す制御テーブルを用いることで、第１の反転の仕方（例えば図６に示すα）での反転が検知された場合には一方の種類の第２コンテンツ（第１の取得方法で取得されたもの）を表示させ、その第１の反転の仕方とは異なる第２の反転の仕方（例えば図６に示すγ）での反転が検知された場合には他方の種類の第２コンテンツ（第２の取得方法で取得されたもの）を表示させる。
【００３７】
図６に示す制御テーブルを用いてコンテンツが表示された場合のコンテンツの遷移について、図７を参照して説明する。
図７は、コンテンツの遷移の一例を示す図である。図７の例では、表表示部２０によりコンテンツＡが表示されている最初の状態Ｄ１が示されている。この状態Ｄ１で反転の仕方αが判定されると、第１の取得方法で取得されたコンテンツＢが裏表示部３０により表示された状態Ｄ１１となる。状態Ｄ１１で反転の仕方αが判定されると、状態Ｄ１１において第１の取得方法で取得されたコンテンツＣが裏表示部３０により表示された状態Ｄ１２となる。
【００３８】
一方、状態Ｄ１１で反転の仕方βが判定されると、反転前の第１コンテンツであるコンテンツＡが表表示部２０により表示されて状態Ｄ１に戻る。このように、表示制御手段１０５は、第２表示手段１０２に第２コンテンツ（この例ではコンテンツＢ）を表示させたあとに、その第２コンテンツを表示させたときに検知された反転（この例ではα）とは反対方向の反転が検知手段１０３により検知された場合には、その第２コンテンツを表示させる前に表示されていた第１コンテンツ（この例ではコンテンツＡ）を第１表示手段１０１に表示させる。本実施形態では、横向きの正方向と横向きの負方向とが互いに反対方向という関係になっており、縦向きの正方向と縦向きの負方向が互いに反対方向という関係になっている。
【００３９】
状態Ｄ１で反転の仕方γが判定されると、第２の取得方法で取得されたコンテンツＤが裏表示部３０により表示された状態Ｄ２となる。この状態Ｄ２で反転の仕方αが判定されると、第１の取得方法で取得されたコンテンツＥが裏表示部３０により表示された状態Ｄ２１となる。状態Ｄ２１では、状態Ｄ１１と同様の表示が行われる。状態Ｄ２で反転の仕方γが判定されると、状態Ｄ２において第２の取得方法で取得されたコンテンツＧが表表示部２０により表示された状態Ｄ３となる。状態Ｄ３では、状態Ｄ２と同様の表示が行われる。一方、状態Ｄ２で反転の仕方δが判定されると、反転前の第１コンテンツであるコンテンツＡが表表示部２０により表示されて状態Ｄ１に戻る。
【００４０】
例えば反転が行われる前の状態Ｄ１では、反転前の第１コンテンツが存在しない。この状態で反転の仕方βやδを判定した場合、表示制御手段１０５は、本実施形態では、反転しても何もコンテンツを表示しない。なお、これに限らず、表示制御手段１０５は、反転前の第１コンテンツが存在しない状態において反転の仕方β（またはδ）を判定すると、例えば反転の仕方α（またはγ）を判定したときと同様に第２コンテンツを表示させてもよい。さらにその場合、表示制御手段１０５は、そのあとの反転の仕方の判定において、αとβ、γとδに対応する回転方向を逆にしてもよい。つまり、横向きの正方向をβ、横向きの負方向をα、縦向きの正方向をδ、縦向きの負方向をγと判定する。これにより、正方向と負方向のどちらの方向から反転を開始しても第２コンテンツが表示され、且つ、その反対方向に反転させると第１コンテンツが表示された状態に戻ることになる。
【００４１】
また、状態Ｄ１１、Ｄ１２、Ｄ２１、Ｄ２２、Ｄ３１及びＤ３２のように反転の仕方αが１回以上判定されて表示された状態において、反転の仕方γを判定すると、表示制御手段１０５は、状態Ｄ１と同様の表示の制御を行う。例えば状態Ｄ１１であれば、表示制御手段１０５は、コンテンツＢを表示させた裏表示部３０を第１表示手段１０１とし、コンテンツＢを第１コンテンツとして第２の取得方法で取得された第２コンテンツを第２表示手段１０２である表表示部２０に表示させる。また、状態Ｄ２１、Ｄ２２、Ｄ３１及びＤ３２のように反転の仕方γが過去に１回以上判定されている状態では、表示制御手段１０５は、反転の仕方δを判定すると、最も新しく反転の仕方γが判定されたときの反転前の第１コンテンツを反対側の表示部（状態Ｄ２１であれば裏表示部３０、状態Ｄ２２であれば表表示部２０）に表示させてもよい。この場合、状態Ｄ２１及びＤ２２であれば状態Ｄ１に戻り、状態Ｄ３１及びＤ３２であれば状態Ｄ２に戻ることになる。
【００４２】
［１−４］動作
表示装置１０は、以上の構成に基づき、反転に伴い第２コンテンツを表示するための反転表示処理を行う。反転表示処理における表示装置１０の動作について、図８を参照して説明する。
図８は、反転表示処理における表示装置１０の動作の一例を示すフロー図である。反転表示処理は、例えばユーザが上述した表示制御プログラムを起動する操作（電源の投入時に起動してもよい。その場合は電源を投入する操作が起動の操作となる）を行うことを契機に開始される。表示装置１０は、まず、表示制御プログラムを起動する（ステップＳ１１）。次に、表示装置１０は、第１表示手段１０１（表表示部２０及び裏表示部３０のうちの一方）にコンテンツを表示しているか否かを判断する（ステップＳ１２）。
【００４３】
表示装置１０は、ステップＳ１２において否（ＮＯ）と判断した場合は、ステップＳ１２の動作を再び行い、コンテンツを表示している（ＹＥＳ）と判断した場合に、表示しているコンテンツを第１コンテンツとして、第１コンテンツに関連する複数の第２コンテンツを取得する（ステップＳ１３）。続いて、表示装置１０は、反転を検知したか否かを判断する（ステップＳ１４）。表示装置１０は、ステップＳ１４で否（ＮＯ）と判断した場合、第１表示手段１０１に新たなコンテンツを表示したか否かを判断し（ステップＳ１５）、ここでも否（ＮＯ）と判断した場合には、ステップＳ１４に戻って動作を行う。表示装置１０は、ステップＳ１５で新たなコンテンツを表示した（ＹＥＳ）と判断した場合には、ステップＳ１３に戻り、新たなコンテンツを第１コンテンツとして複数の第２コンテンツを取得する。
【００４４】
表示装置１０が新たなコンテンツを表示するのは、ユーザが反転を行わずに第１表示手段１０１を見たまま別のコンテンツを表示させる操作を行った場合などである。ステップＳ１３及びＳ１５は取得手段１０４が行う動作である。表示装置１０は、ステップＳ１４で反転を検知した（ＹＥＳ）と判断した場合、その反転の仕方を判定し（ステップＳ１６）、ステップＳ１４で取得した複数の第２コンテンツのうち、判定した反転の仕方に応じた第２コンテンツを第２表示手段１０２に表示する（ステップＳ１７）。ステップＳ１４は検知手段１０３及び表示制御手段１０５が行う動作である。ステップＳ１６は表示制御手段１０５が行う動作であり、ステップＳ１７は表示制御手段１０５及び第２表示手段１０２が行う動作である。
【００４５】
［１−５］第１実施形態による効果
本実施形態では、ユーザは、複数の第２コンテンツのうちのいずれかを第２表示手段１０２に表示させる場合に、図５に示すような複数の反転の仕方のうちのいずれかを用いて表示装置１０を反転させるだけでよい。そのため、第２表示手段１０２に複数のコンテンツが表示され得る場合に、例えばそれらのコンテンツのリストから表示させるものを選択するといった操作を行う必要がない。このように、本実施形態によれば、表示装置の一方の面を見ているユーザが他方の面に表示されるコンテンツを見るときの手間を、複数のコンテンツが表示され得る場合でも少なくすることができる。
【００４６】
また、本実施形態では、図４等の説明で述べた表示履歴に基づいて第２コンテンツが取得される。表示履歴、すなわちユーザが表示させたコンテンツの履歴は、図４の例でいえば、コンテンツＡの次にコンテンツＢを表示させることが多いというように、ユーザがコンテンツを表示させる傾向を表しやすい。本実施形態によれば、このような表示履歴を用いることで、ユーザが表示させる可能性が比較的高いコンテンツを第２コンテンツとして取得することができる。
【００４７】
また、本実施形態では、２通りの反転の仕方を利用して、或る種類の第２コンテンツを表示させたり、それとは異なる種類の第２コンテンツを表示させたりすることができる。これにより、ユーザは、一方の種類のコンテンツに対して関心が持てないような場合に、他方の種類のコンテンツを試してみることができる。また、本実施形態では、反対方向の反転を行うことで、コンテンツの表示を戻すことができる。これにより、ユーザは、前に表示されていて且つ再度見たくなったコンテンツを、直感的な操作で表示させることができる。
【００４８】
［２］第２実施形態
本発明の第２実施形態について、以下、第１実施形態と異なる点を中心に説明する。第２実施形態では、第１選択方法とは異なる２つの方法で第２コンテンツが取得される。
［２−１］第３の取得方法
第３の取得方法では、取得手段１０４が、現在の時期に応じた第２コンテンツを取得する。ここでいう時期とは、１日のうちの特定の時期（例えば通勤時間帯など）や１週及び１月のうちの特定の時期（週明けや週末、月初や月末など）、１年のうちの特定の時期（例えば年末年始やゴールデンウィーク、夏休みなど）などを含む。取得手段１０４は、予め決められた特定の時期の範囲を日時で示す情報を記憶しておき、現在の日時が範囲に含まれる時期を特定する。
【００４９】
取得手段１０４は、例えば、第１実施形態で述べた表示履歴ＤＢから、特定した時期に表示時刻が含まれる表示履歴を抽出し、抽出した表示履歴のみを用いた場合の図４に示す次表示回数が最も多いコンテンツを第２コンテンツとして取得する。例えば特定の時期が通勤の時間帯（７時から９時までなど）である場合に、図４の例では、表示履歴全体ではコンテンツＢの次表示回数が最も多いが、通勤の時間帯では例えばコンテンツＥの次表示回数が最も多かったとする。この場合、取得手段１０４は、コンテンツＥを第２コンテンツとして取得する。
【００５０】
例えば、或るユーザは、表示履歴全体ではコンテンツＡの次にコンテンツＢを最も多く閲覧していても、通勤時間帯などの特定の時期には、その時期に関係するコンテンツＣをコンテンツＡの次に最も多く閲覧するということがある。そのユーザがその時期にコンテンツＡを閲覧している場合には、コンテンツＢよりもコンテンツＣへの関心が高くなりやすく、第３の取得方法ではそのようなコンテンツＣを第２コンテンツとして取得する。これにより、現在の時期に関係なくコンテンツを取得する場合に比べて、ユーザが表示させる可能性の高いコンテンツを表示しやすくすることができる。
【００５１】
なお、取得手段１０４は、上記以外の方法で、現在の時期に応じた第２コンテンツを取得してもよい。例えば、第１コンテンツに複数の表示情報が含まれている場合に、取得手段１０４は、それらの表示情報により表示されるコンテンツのうち、現在の時期に関連する語句（以下「時期関連語句」という）が最も多く含まれているコンテンツを第２コンテンツとして取得する。この場合、取得手段１０４は、特定の時期と時期関連語句とを対応付けた時期関連語句テーブルを記憶しておく。
【００５２】
図９は、時期関連語句テーブルの一例を示す図である。図９の例では、「出勤時間帯」という特定の時期に、「運行、渋滞、天気、降水確率、傘、・・・」という時期関連語句が対応付けられ、「年末年始」という特定の時期に、「忘年会、クリスマス、大晦日、初詣、初日の出、お年玉、・・・」という時期関連語句が対応付けられている。取得手段１０４は、現在の時期が「通勤時間帯」だと特定すると、第１コンテンツに含まれる複数の表示情報により表示されるコンテンツのうち、「通勤時間帯」に時期関連語句テーブルで対応付けられている時期関連語句が最も多く含まれているものを取得する。
【００５３】
図９の例では、以上のとおり時期関連語句を最も多く含むコンテンツを第２コンテンツとして取得する。例えば、出勤時間帯の時期関連語句が１０回登場するコンテンツは、同じ時期関連語句が１回しか登場しないコンテンツに比べて、出勤時間帯のユーザの関心が高くなりやすい。従って、この場合も、現在の時期に関係なくコンテンツを取得する場合に比べて、ユーザが表示させる可能性の高いコンテンツを表示しやすくすることができる。
【００５４】
［２−２］第４の取得方法
第４の取得方法では、取得手段１０４が、自装置が所在する位置に応じた第２コンテンツを取得する。表示装置１０は、図１に示すように、測位部１６を備える。測位部１６は、例えばＧＰＳ（Global Positioning System）の技術を用いて自装置の位置を測定する。測位部１６は、測定した自装置の位置を例えば緯度及び経度で示す情報を位置情報として制御部１１に供給する。取得手段１０４は、予め決められた地域の範囲を緯度及び経度で示す情報を記憶しておき、測定された位置が範囲に含まれる地域を特定する。地域としては、例えば、渋谷や新宿と行った街を範囲とするものや市町村、都道府県を範囲とするものなどが含まれる。
【００５５】
取得手段１０４は、第１実施形態で述べた表示履歴ＤＢに識別情報及び表示時刻を格納する際に、自装置の位置を示す位置情報をそれらに対応付けて格納する。この場合、識別情報、表示時刻及び位置情報が表示履歴として表示履歴ＤＢに蓄積される。取得手段１０４は、上記のとおり特定した地域の範囲に含まれる位置を示す位置情報を含む表示履歴を抽出し、抽出した表示履歴のみを用いた場合の図４に示す次表示回数が最も多いコンテンツを第２コンテンツとして取得する。
【００５６】
例えば、或るユーザは、表示履歴全体ではコンテンツＡの次にコンテンツＢを最も多く閲覧していても、渋谷近辺にいるときには、渋谷でよく行く店に関係するコンテンツＣをコンテンツＡの次に最も多く閲覧するということがある。そのユーザが渋谷にいてコンテンツＡを閲覧しているときは、コンテンツＢよりもコンテンツＣへの関心が高くなりやすく、第４の取得方法ではそのようなコンテンツＣを第２コンテンツとして取得する。これにより、位置情報に関係なくコンテンツを取得する場合に比べて、ユーザが表示させる可能性の高いコンテンツを表示しやすくすることができる。
【００５７】
なお、取得手段１０４は、上記以外の方法で、自装置が所在する位置に応じた第２コンテンツを取得してもよい。例えば、第１コンテンツに複数の表示情報が含まれている場合に、取得手段１０４は、それらの表示情報により表示されるコンテンツのうち、自装置が所在する位置に関連する語句（以下「位置関連語句」という）が最も多く含まれているコンテンツを第２コンテンツとして取得する。この場合、取得手段１０４は、特定の地域と位置関連語句とを対応付けた位置関連語句テーブルを記憶しておく。
【００５８】
図１０は、位置関連語句テーブルの一例を示す図である。図１０の例では、「渋谷近辺」という特定の地域に、「道玄坂、渋谷公園通り、スクランブル交差点、センター街、・・・」という位置関連語句が対応付けられ、「新宿近辺」という特定の地域に、「都庁、新宿中央公園、新宿通り、歌舞伎町、・・・」という位置関連語句が対応付けられている。取得手段１０４は、現在の地域が「渋谷近辺」だと特定すると、第１コンテンツに含まれる複数の表示情報により表示されるコンテンツのうち、「渋谷近辺」に位置関連語句テーブルで対応付けられている位置関連語句が最も多く含まれているものを取得する。
【００５９】
図１０の例では、以上のとおり位置関連語句を最も多く含むコンテンツを第２コンテンツとして取得する。例えば、渋谷近辺の位置関連語句が１０回登場するコンテンツは、同じ位置関連語句が１回しか登場しないコンテンツに比べて、渋谷近辺に関係する内容となっている可能性が高く、渋谷近辺にいるユーザの関心も高くなりやすい。従って、この場合も、位置情報に関係なくコンテンツを取得する場合に比べて、ユーザが表示させる可能性の高いコンテンツを表示しやすくすることができる。
【００６０】
［変形例］
上述した各実施形態は、各々が本発明の実施の一例に過ぎず、以下のように変形させてもよい。また、上述した各実施形態及び以下に示す各変形例は、必要に応じてそれぞれ組み合わせて実施してもよい。
【００６１】
［３−１］反転の速度
表示制御手段１０５は、反転の速度に応じて第２コンテンツを表示させてもよい。本変形例では、例えば、取得手段１０４が、第２コンテンツを取得すると、取得したその第２コンテンツに関連するコンテンツを新たな第２コンテンツとして取得することを繰り返す。表示制御手段１０５は、取得手段１０４により順番に取得された第２コンテンツ（図１１の例ではコンテンツＢ、Ｃ、Ｊ）のうち、検知手段１０３により検知された反転の速度に応じた順番で取得された第２コンテンツを表示させる。表示制御手段１０５は、反転の速度と順番とを対応付けた順番テーブルを記憶している。
【００６２】
図１１は、順番テーブルの一例を示す図である。図１１の例では、「Ｖ１以上」、「Ｖ１未満Ｖ２以上」及び「Ｖ２未満」（Ｖ１はＶ２よりも速い速度を表している）という反転の速度に、「３番目」、「２番目」及び「１番目」という順番が対応付けられている。Ｖ１以上とは、Ｖ１以上に速い速度であることを表し、Ｖ１未満とは、Ｖ１よりも遅い速度であることを表している。表示制御手段１０５がこの順番テーブルを用いて第２コンテンツを表示させる方法について、図１２を参照して説明する。
【００６３】
図１２は、順番に取得された第２コンテンツの一例を示す図である。図１２の例では、順番に取得された第２コンテンツの一例として、コンテンツＡに関連するコンテンツＢが取得され、コンテンツＢに関連するコンテンツＣが取得され、コンテンツＣに関連するコンテンツＪが取得されている。表示制御手段１０５は、第１表示手段１０１にコンテンツＡが表示されている状態で、「Ｖ１以上」の速度の反転が検知されると、３番目に取得された第２コンテンツであるコンテンツＪを第２表示手段１０２に表示させる。
【００６４】
また、表示制御手段１０５は、「Ｖ１未満Ｖ２以上」の速度の反転が検知されると、２番目に取得された第２コンテンツであるコンテンツＣを第２表示手段１０２に表示させ、「Ｖ２未満」の速度の反転が検知されると、１番目に取得された第２コンテンツであるコンテンツＢを第２表示手段１０２に表示させる。本変形例によれば、例えば第１コンテンツに直接関連する第２コンテンツを見たくない場合（何回も同じ第２コンテンツが表示されていて内容を知っている場合など）に、そのような第２コンテンツを飛ばしてそれ以降に取得される第２コンテンツを表示させることができる。
【００６５】
なお、図１１の例では、速度が小さくなるに連れて順番が早くなっていたが、この反対に順番が遅くなってもよいし、「１番」、「３番」、「５番」のように不連続な順番であってもよい。また、「１番」、「５番」、「３番」など、昇順でも降順でもない順番であってもよい。また、表示制御手段１０５は、反転の回転方向が反対であれば、その速度に応じた順番だけ遡って表示されていた第１コンテンツを表示させる。
【００６６】
［３−２］ガイド画像
表示制御手段１０５は、表示の制御方法をガイドするガイド画像を表示させてもよい。表示制御手段１０５は、例えば、反転の仕方とその反転の仕方に応じた第２コンテンツとの関係とを表す画像（以下「関係画像」という）をガイド画像として表示させる。
図１３は、表示された関係画像の一例を示す図である。図１３の例では、表表示部２０に表示されている関係画像Ｅ１０が示されている。関係画像Ｅ１０には、反転の仕方を表した画像Ｅ１１と、表示装置１０を反転させたときに表示されるコンテンツを表した画像Ｅ１２及びＥ１３とが含まれている。
【００６７】
画像Ｅ１１は、表示装置１０と反転の軸と表示装置１０の回転方向を表す矢印とを示している。画像Ｅ１２は、横向きの正方向に反転させたときに裏表示部３０に表示される第２コンテンツを示し、画像Ｅ１３は、縦向きの正方向に反転させたときに裏表示部３０に表示される第２コンテンツを示している。これらの画像に示されている第２コンテンツは、例えば、取得手段１０４により取得された第２コンテンツのサムネイル画像である。このように、表示制御手段１０５は、取得手段１０４により取得された第２コンテンツを用いて関係画像を表示させる。
【００６８】
なお、表示制御手段１０５は、図１３の例とは異なる方法で表した関係画像を表示させてもよい。例えば、第２コンテンツのサムネイル画像ではなく、第２コンテンツの取得方法を簡単に説明した文字列を表示させる。表示制御手段１０５は、例えば第１の取得方法であれば、「あなたが次によく閲覧するコンテンツが表示されます。」といった文字列を表示させ、第２の取得方法であれば、「表示されているリンク先のコンテンツのうちあなたがよく閲覧するコンテンツが表示されます。」といった文字列を表示させる。以上のように、本変形例によれば、ユーザに表示装置１０をどのように反転させればどのようなコンテンツが表示されるかということを伝えることができる。
【００６９】
［３−３］ガイド画像２
表示制御手段１０５は、図１３の例の他に、例えば、反転が行われる度に表示させる第２コンテンツの一覧を表す画像（以下「一覧画像」という）をガイド画像として表示させてもよい。
図１４は、表示された一覧画像の一例を示す図である。図１４の例では、表表示部２０に表示されている一覧画像Ｆ１０が示されている。表表示部２０には、コンテンツＡも表示されており、一覧画像Ｆ１０は、コンテンツＡに重ねて表示されている。
【００７０】
一覧画像Ｆ１０は、現在表示されている第１コンテンツであるコンテンツＡと、表示装置１０を横方向に反転させていったときに表示される第２コンテンツであるコンテンツＢ、Ｃ及びＪと、表示装置１０を縦方向に反転させていったときに表示される第２コンテンツであるコンテンツＤ及びＧが表されている。一覧画像Ｆ１０に示されている各第２コンテンツは、例えば、取得手段１０４により取得された第２コンテンツのサムネイル画像である。このように、表示制御手段１０５は、取得手段１０４により取得された第２コンテンツを用いて一覧画像を表示させる。本変形例によれば、ユーザに表示装置１０の反転を繰り返すとどのようなコンテンツが表示されるかということを伝えることができる。
【００７１】
［３−４］反転の検知
検知手段１０３が反転を検知する方法は上述したものに限らない。例えば、センサ部１５が加速度センサを有し、その加速度センサが筐体４０の中心Ａ１から離れた位置に設けられていると、表示装置１０が反転されたときに、加速度センサも移動して加速度が測定されることになる。検知手段１０３は、例えば反転時に測定される加速度の範囲を記憶しておくことで、その範囲に含まれる加速度が測定された場合に反転条件が満たされたものとして反転を検知することができる。また、センサ部１５が地磁気センサを有する場合は、地磁気センサの測定結果が示す向きの変化が表示装置１０の向きの変化を表すので、それを利用して反転条件を定めて反転を検知すればよい。
【００７２】
また、検知手段１０３は、複数種類のセンサの測定結果に基づいて反転を検知してもよい。その場合はより精度の高い反転の検知を行うことができる。また、表示装置１０が表面４１側及び裏面４２側の両方で画像を撮影する撮像部を備えている場合に、検知手段１０３は、撮影された画像に基づいて反転を検知してもよい。例えば、検知手段１０３は、撮影された画像に含まれる顔を認識し、筐体４０の一方の面側で認識されていた顔が他方の面側で認識されたときに、反転を検知する。他にも、検知手段１０３は、周知の技術を用いて反転を検知すればよい。
【００７３】
［３−５］反転の仕方
反転の仕方は図５等で述べたものに限らない。例えば、Ｘ軸方向やＹ軸方向に角度を成す軸（つまり縦向きや横向きに対して斜めに傾いた軸）を中心とした反転であってもよいし、筐体４０の中心Ａ１から離れた軸を中心とした反転であってもよい。また、図５の例では４通りの反転の仕方を示したが、３通り以下であってもよいし、５通り以上であってもよい。また、反転の軸は３以上であってもよいし、１つであってもよい。反転の軸が１つである場合は、反転の速度の違いによって異なる反転の仕方が表されていればよい。要するに、表示装置においては、２以上の異なる反転の仕方が用いられればよい。
【００７４】
［３−６］第２コンテンツの取得方法
取得手段１０４は、実施形態とは異なる方法で第２コンテンツを取得してもよい。取得手段１０４は、例えば、ユーザ属性に応じた第２コンテンツを取得してもよい。この場合、取得手段１０４は、自装置の記憶部１２または外部装置に記憶されているユーザ属性を読み出し、そのユーザ属性に関連する語句（以下「属性関連語句」という）が最も多く含まれているコンテンツを第２コンテンツとして取得する。取得手段１０４は、ユーザ属性と属性関連語句とを対応付けた属性関連語句テーブルを記憶している。
【００７５】
図１５は、属性関連語句テーブルの一例を示す図である。この例では、「趣味がスポーツまたはスポーツ経験有り」というユーザ属性に、「スポーツ、サッカー、野球、ラグビー、バスケットボール、・・・」という属性関連語句が対応付けられ、「趣味が食事または毎月の外食費が一定金額以上」というユーザ属性に、「夕食、ディナー、ランチ、レストラン、フレンチ、イタリアン、・・・」という属性関連語句が対応付けられている。取得手段１０４は、この属性関連語句テーブルを用いて、例えば図９に示す時期関連語句テーブルを用いる場合と同様にして第２コンテンツを取得する。これにより、ユーザ属性に関連のあり、ユーザの関心が高くなりやすいコンテンツが第２コンテンツとして取得される。
【００７６】
［３−７］２以上の第２コンテンツの取得
取得手段１０４は、上記の例では、１つの取得方法で１つの第２コンテンツを取得したが、これに限らず、２以上の第２コンテンツを取得してもよい。例えば、図４の例において、取得手段１０４は、次表示回数が多い方から２番目までのコンテンツＢ、Ｅを第２コンテンツとして取得する。このように取得手段１０４が取得する第２コンテンツが多くなるほど、ユーザが表示させることができる第２コンテンツの選択肢を増やすことができる。
【００７７】
［３−８］複数の第２コンテンツの表示
表示制御手段１０５は、２以上の第２コンテンツを第２表示手段１０２に表示させてもよい。例えば、取得手段１０４が３以上の第２コンテンツを取得する場合に、表示制御手段１０５は、１つの反転の仕方に対して表示させるコンテンツが２以上対応付けられた表示制御テーブルを記憶しておく。表示制御手段１０５は、この表示制御テーブルにおいて反転の仕方に対応付けられている２以上のコンテンツを第２表示手段１０２に表示させる。その場合、表示制御手段１０５は、第２表示手段１０２の表示面を分割した各領域に２以上のコンテンツをそれぞれ表示させたり、コンテンツのリストを表示させてそのリストから選択されたコンテンツを表示させたりすればよい。これにより、ユーザはより多くのコンテンツを閲覧することができる。
【００７８】
［３−９］発明のカテゴリ
本発明は、表示装置が実施する処理を実現するための表示方法としても捉えられる。ここでいう処理とは、例えば、図８に示す表示制御処理である。また、本発明は、表示装置のようなコンピュータで実行されるプログラムとしても捉えられるものである。このプログラムは、それを記憶させた光ディスク等の記録媒体の形態で提供されたり、インターネット等のネットワークを介して、コンピュータにダウンロードさせ、それをインストールして利用可能にするなどの形態でも提供されたりするものであってもよい。
【符号の説明】
【００７９】
１０…表示装置、１１…制御部、１２…記憶部、１３…通信部、１４…操作部、１５…センサ部、１６…測位部、２０…表表示部、２１…表表示面、３０…裏表示部、３１…裏表示面、４０…筐体、４１…表面、４２…裏面、１０１…第１表示手段、１０２…第２表示手段、１０３…検知手段、１０４…取得手段、１０５…表示制御手段。
【図１】
2015152779.tif 000003
【図２】
2015152779.tif 000004
【図３】
2015152779.tif 000005
【図４】
2015152779.tif 000006
【図５】
2015152779.tif 000007
【図６】
2015152779.tif 000008
【図７】
2015152779.tif 000009
【図８】
2015152779.tif 000010
【図９】
2015152779.tif 000011
【図１０】
2015152779.tif 000012
【図１１】
2015152779.tif 000013
【図１２】
2015152779.tif 000014
【図１３】
2015152779.tif 000015
【図１４】
2015152779.tif 000016
【図１５】
2015152779.tif 000017